(57)【要約】      （修正有）【課題】洗髪後の頭髪を迅速に乾燥させるフード型頭髪乾燥用キャップを提供する。【解決手段】一枚のタオル地等をフード状に形成したフード１０の前上部に設けた傾斜部１と、後上部にドライヤー等の送風筒を差し込むための孔である辺縁にゴムが通された差し込み口２を設け、裾を折り上げた紐通し部３に紐４を通して絞り、空間と髪受けを作る。また、フード１０は２枚のタオルを縫合して作ったもので、差し込み口２を作る際に形成した羽形状部５は送風筒を挟み持ち固定する機能を有する。また、フード１０の裾を切断せず伸ばしたものに留め具凸６と、留め具凹７を付け、長い髪を挟み覆う用にすることができる。これらフード１０を髪の長さやデザインの好みに応じて選ぶことができ、前後からドライヤー等でフード１０内に送り込まれた熱風が空間を巡る温室効果と、フード１０に飛ばされた水分が吸収され、この頭髪の乾燥が促進される。【選択図】図１
0003213644.tif 000002
【実用新案登録請求の範囲】
【請求項１】
頭髪を覆うフードと、フードの前上部に設けた傾斜部と、フードの後上部に、辺縁にゴムが通されドライヤーの送風筒を挿入するための差し込み口とを設けたフード型頭髪乾燥用キャップ。
【請求項２】
前記フードは、裾が略肩の位置となる長さであり、前記フードの裾が折上げられることにより、紐の通し部が形成されており、この紐の通し部に紐が通されている請求項１記載に記載のフード型頭髪乾燥用キャップ。
【請求項３】
前記フードは一枚のタオルからなる請求項１又は２に記載のフード型頭髪乾燥用キャップ。
【請求項４】
前記フードは、裾が胸元より下の位置となる長さであり、首の付け根付近に相当する位置から下方が左右に分かれており、鎖骨付近に相当する位置で前後両端部に留め具が付けられており、これらの留め具は、左右に分かれたフードの前端部同士と後端部同士を着脱自在に留めるか、または、左右に分かれたそれぞれの前端部と後端部とを着脱自在に留める請求項１に記載のフード型頭髪乾燥用キャップ。
【請求項５】
前記留め具は、左右のフードの前端部同士と後端部同士を着脱自在に留めることも、左右各々のフードの前端部と後端部とを着脱自在に留めることも可能である請求項４に記載のフード型頭髪乾燥用キャップ。
【請求項６】
前記フードは、縦長につながれた二枚のタオルからなり、つなぎ部は、後上部を残して縫合されており、前記二枚のタオルの後部の長辺部が首の付け根付近に相当する位置まで上部を残して互いに縫合されている請求項４又は５に記載のフード型頭髪乾燥用キャップ。
【請求項７】
差し込み口に設けた羽形状部を有した請求項１から６のいずれかに記載のフード型頭髪乾燥用キャップ。
【考案の詳細な説明】
【技術分野】
【０００１】
本考案は、洗髪後の濡れた頭髪を自然な髪の流れを保形しつつ迅速に乾燥させるフード型頭髪乾燥用キャップに関する。
【背景技術】
【０００２】
従来の頭髪乾燥用キャップは、素材の吸収性に優れたタオル地等で頭髪を束ねて覆った物や、頭上に固定する用に被っておくものが知られている。また長い髪を袋状にした布に入れてドライヤー等で乾かすものがある（例えば特許文献１参照）。
【０００３】
前記の頭髪乾燥用キャップは被っているだけで乾くものでは無く、一般的には脱いでドライヤー等で乾かさなければならない。その際、長時間被っていると頭髪を固定していた布地により額の生え際などに妙な癖が付いてしまうため整髪に余計な時間がかかる。また特許文献１は、長い髪を下から密封した布で受け止めて布内に納め内部にドライヤー等の熱を送り込む。また外部から熱を加えて布内の水分を短時間で蒸発させるとしている。
【先行技術文献】
【特許文献】
【０００４】
【特許文献１】特開２００５-２５３９２６  公報
【考案の概要】
【考案が解決しようとする課題】
【０００５】
以上に述べた従来の頭髪乾燥用キャップは、長い髪を袋状の布に入れてそのまま外から布ごとドライヤー等の熱で乾かすものである。また袋状の布に設けた切込みからドライヤー等で温風を送り込むというもので、長い髪が袋状の布の中で折れ曲がり、妙な癖を招く可能性もあり、髪の毛が布で密封されている為乾かし辛い。
【０００６】
そこで本考案は、長時間被っていても妙な癖を招くこと無く、自然な髪の流れを保形しつつ被ったままで濡れた髪を迅速に乾かす事が出来るフード型頭髪乾燥用キャップを提供しようとするものである。
【課題を解決するための手段】
【０００７】
そして、本考案の上記目的を達成するための第一の解決手段は、タオル地等で頭を覆うフードを成形し、前上部に傾斜部を設け、後上部に、辺縁にゴムが通されたドライヤー等の送風筒の差し込み口の孔を設けたものである。
【０００８】
また、第二の解決手段は、髪の長さに応じて肩の上付近で紐を絞るものと、フードが肩から下に二枚に分かれて垂れ下がり、長い髪を胸の前で留め置くための留め具等を鎖骨付近に相当する位置に取り付けたものとで、自分に合った物を選べるようにしたものである。また留め具は、胸の前で二枚に分かれたタオル地等をつなげて前後で髪を挟み留めても、髪を左右に分けて挟み留めても、両方着脱自在になるように取り付けておく。
【０００９】
上記第一の解決手段による効果は次の通りである。すなわち、洗髪後の濡れた髪を前記フード本体で覆い、タオル地等に水分を吸収させながら、ドライヤー等の熱風を容易に前後から送り込むことで迅速に乾かす事が出来る。その際ドライヤー等の送風筒の差し込み口の辺縁にゴムが通っていることで前記熱風が逆戻りしてフードの外に出ることを防ぐ。
【００１０】
また、第二の課題解決手段による効果は、前記フード本体を髪の長さに応じて選べる事で、長い髪も折れ曲がること無く、自然な髪の流れを保形しつつ迅速に乾かす事が出来る。
【考案の効果】
【００１１】
上術したように本考案のフード型頭髪乾燥用キャップは、自分の髪の長さや、羽形状部の有無で好みのデザインの物を前記フードの中からから選べ、辺縁にゴムが通されたドライヤー等の送風筒の差し込み口を設けた事で、被ったままドライヤー等で乾かす事を可能にした結果、洗髪後の濡れた髪が容易に且つ迅速に乾くというものである。また首や衣服を濡らすこと無く快適に自由な時間を過せ、長時間被っていても妙な癖を招く事無く自然な髪形のまま乾燥させていくことを可能にしたフード型頭髪乾燥用キャップを提供できる。
【００１２】
また、辺縁にゴムが通された前記差し込み口により熱風が逆戻りして孔から漏れ出ることを防ぐため、前記フードの空間にドライヤー等で熱風を送り巡らすと言う温室効果によって熱効率が上がり、その結果ドライヤー等の熱量を抑えても迅速に乾く為、髪への負担を軽減し、電気代も削減するという効果を発揮するものである。
【図面の簡単な説明】
【００１３】
【図１】本考案の実施形態を示すフード型頭髪乾燥用キャップの側面図であり、(a)は紐付き羽形状部無しのフード型頭髪乾燥用キャップ。(b)は紐付き羽形状部有りのフード型頭髪乾燥用キャップ。(c)は紐無し羽形状部有りのフード型頭髪乾燥用キャップである。
【図２】（a)は同フード型頭髪乾燥用キャップの図１(a)における側面の使用図。           (b)は同フード型頭髪乾燥用キャップの図１(a)における正面の使用図である。
【図３】(a)は同フード型頭髪乾燥用キャップの図１(b)における側面の使用図。           (b)は同フード型頭髪乾燥用キャップの図１(b)における正面の使用図である。
【図４】(a)は同フード型頭髪乾燥用キャップの図１(c)における留め具６と８を接合した側面の使用図。          (b)は同フード型頭髪乾燥用キャップの図１(c)における留め具６と８を接合した正面の使用図。         （c）は同フード型頭髪乾燥用キャップの図１(c)における留め具６と７と、留め具８と９を接合した正面の使用図である。
【図５】図１（c）のフード型頭髪乾燥用キャップの留め具の取り付け方
【図６】(a)は同フード型頭髪乾燥用キャップの図１(a)における後ろからのドライヤーの使用図。         (b)は同フード型頭髪乾燥用キャップの図１(c)における後ろからのドライヤーの使用図。         (c)は同フード型頭髪乾燥用キャップの図１(c)における前からのドライヤーの使用図である。
【考案を実施するための形態】
【００１４】
以下、本考案の実施の形態を図１〜図５に基づいて説明する。
【００１５】
図においては、１はフード本体１０，１１，１２の前上部に設けた傾斜部で、後上部に、辺縁にゴムが通されたドライヤー等１３の送風筒１４の差し込み口２と紐の通し部３を設け、あるいはタオル地等に有る既存の紐通し部３に紐４を通す。５は二枚のタオル地等で形成したフード本体１０,１２に前記差し込み口２を設ける時に形成した羽形状部５で、フード本体１２の長編部の後部に取り付けた留め具凸６,留め具凹８と、前記長辺部の前部に取り付けた留め具凹７,留め具凸９である。
【００１６】
以下、上記構成の動作を説明する。タオル地等をフード状に縫合したフード本体１０,１１，１２の前上部に傾斜部１を設けたことで、ドライヤー等１３の熱風をフード内に受けてもフードが後ろにずれ落ちにくくなる。また後上部に、前記差し込み口２を設けたことで、後ろのあらゆる角度からフード内に熱風を送り込むことが出来る。また、前記差し込み口２の辺縁に通されたゴムを前記送風筒１４が押し広げて入ることで、熱風が逆戻りし孔からフードの外に逃げるのを防ぐ。その結果、温室効果と熱効率が上がり濡れた髪を迅速に乾かす事が出来る。
【００１７】
髪の長さに合わせて選べるように、紐通し部３に紐４を通して絞り肩まで位の長さの髪を受ける前記フード本体１０,１１と、長い髪を二分して胸の前に髪を持って来て使用する前記フード本体１２がある。
【００１８】
胸の前に前記フード本体１２の二枚に分かれたタオル地等と一緒に持って来た髪は、手やブラシ等で整えて前記タオル地等に水分を吸収させながらドライヤー等１３の熱風を当てる事で、自然な髪の流れを保形しつつ迅速に乾かすことが出来る。また、肩から下に垂れ下がったタオル地等はウエスト付近まであるのが好ましく、それら前記フード本体１２に留め具凸６，９と留め具凹７，８やフード本体１０，１１に紐４を付けたことで、洗髪後の濡れた髪が首に付く不快感や衣服を濡らすことを無くし、また滴が落ちることも防ぐので、快適に自由な時間を過ごすことが出来る。
【００１９】
また、羽形状部５を設けドライヤー等１３の送風筒１４を挟み持つことで、前記羽形状部５には、それを固定する機能と女性が好むデザイン性も兼ね備えている。なお、フード本体１０の場合には前記羽形状部５が無いので、差し込み口２付近を前記送風筒１４と一緒に持つと良い。
【００２０】
また、後上部に前記差し込み口２を設けたことで、自分で乾かす事が困難で、じっとしていることが苦手な子供や体力の無いお年寄りにフード本体１０,１１,１２のいずれかを被せて他人が乾かす際、すっぽりと頭を覆ったフードは片手で拭く事を容易にし、タオル地等に水分を吸収させながら、もう片方の手で前後から容易にフード内にドライヤー等１３の熱風が送り込め、髪が迅速に乾く。その結果双方への負担が少なく済む。
【００２１】
また、フード本体１２を小さな子供に留め具をはずしてお風呂上りに頭から被せると、じっとしている事の苦手な子供にマントのように体から落ちないバスタオルとして肩から下に二枚に分かれ垂れ下がったタオル地等で隅々まで素早く拭くことが出来る。また、前記フード本体をターバンのように巻き上げてシャワーキャップとしても使用することが出来、洗髪しない時は巻き上げていたそれを下し、そのまま容易に拭くことが出来る。
【００２２】
なお、これらフード型頭髪乾燥用キャップはタオル地だけでなくあらゆる布地、不織布、樹脂、紙を適用しても構わない。また季節ごとに布地の厚さを変えることで快適に一年中使用することが出来る。また長時間被っていても妙な癖を招くことが無く、濡れた髪を完全に覆う事が出来る為、冷たく感じることも寝具を濡らすことも無いので被ったまま眠ることが出来る。その結果、朝には髪がしっとりと半乾き状態になっているので整髪が容易になる。また、時間の無い朝に前記フード型頭髪乾燥用キャップを使用する事で乾燥に要する時間を短縮する事が出来る。
【００２３】
また留め具においては、ボタン、スナップ、ホック、フック、マジックテープ（登録商標）等を適用しても構わない。また紐４で絞らなくてもよく、紐４をゴム、リボン等にかえても構わない。また紐４を絞る際は左右に紐が偏るのを防ぐためフードの後部の中心で固定してもよく、絞り留めて置くための留め具等を付けても構わない。
【００２４】
また留め具は、一枚のタオル地等の長辺部の両端部同士の留め具凸６と留め具凹７、留め具凹８と留め具凸９を留めても、二枚のタオル地等の前端部同士の留め具凹７と留め具凸９と、後端部同士の留め具凸６と留め具凹８をつなげて留めても、どちらにも着脱自在に留めることが出来るように取り付けておく。また、凹と凸は、それぞれ逆に取り付けても構わない。
【００２５】
また、紐４、留め具６，７，８，９等の付属品を付けることなくタオル地等のみで作ってもよく、理容、美容室等で商業用として使用しても構わない。
【符号の説明】
【００２６】
１  傾斜部
２  辺縁にゴムが通されたドライヤーの送風筒の差し込み口
３  紐通し部
４  紐
５  羽形状部
６,９  留め具凸
７,８  留め具凹
１０，１１，１２  フード本体
１３  ドライヤー
１４  ドライヤーの送風筒
【図１】
0003213644.tif 000003
【図２】
0003213644.tif 000004
【図３】
0003213644.tif 000005
【図４】
0003213644.tif 000006
【図５】
0003213644.tif 000007
【図６】
0003213644.tif 000008